(57)【要約】【課題】保管に場所をとらず、しかも被梱包部材の梱包に際しては確実に梱包できて、梱包した被梱包部材を例えば縦積みした場合でも不用意に崩れるようなことのない梱包具を提供する。【解決手段】被梱包部材を載置するためのパレットと、このパレット上に載置した被梱包部材を覆うための段ボール製の梱包用箱体と、前記梱包用箱体を補強するための補強枠体とが備えられ、補強枠体は、前記梱包用箱体の内側面に沿う複数本の縦杆と、前記梱包用箱体の天井内面に沿う複数本の横杆と、これら縦杆及び横杆を枠状に連結するための連結体とが備えられ、前記縦杆及び横杆は、前記連結体に対して着脱可能であり、また前記パレット上には、前記梱包用箱体の下端部を保持するための保持体が設けられ、この保持体には固定バンドの係止部が備えられている。【選択図】図６
2012012098.tif 000002
【特許請求の範囲】
【請求項１】
重量のある被梱包部材を梱包するための梱包具であって、被梱包部材を載置するためのパレットと、このパレット上に載置した被梱包部材を覆うための段ボール製の梱包用箱体と、前記梱包用箱体を補強するための補強枠体とが備えられ、補強枠体は、前記梱包用箱体の内側面に沿う複数本の縦杆と、前記梱包用箱体の天井内面に沿う複数本の横杆と、これら縦杆及び横杆を枠状に連結するための連結体とが備えられ、前記縦杆及び横杆は、前記連結体に対して着脱可能であることを特徴とする梱包具。
【請求項２】
前記パレット上には、前記梱包用箱体の下端部を保持するための保持体が設けられ、この保持体には固定バンドの係止部が備えられていることを特徴とする請求項１に記載の梱包具。
【発明の詳細な説明】
【技術分野】
【０００１】
本発明は、重量のある被梱包部材を縦積み可能とする箱型の梱包具に関する。
【背景技術】
【０００２】
一般に重量のある被梱包部材を梱包するのに用いる梱包具としては、被梱包部材を載置するためのパレットと、このパレット上に載置した被梱包部材を覆うための段ボール製の梱包用箱体とから成り、パレット上に被梱包部材を載せた上で、梱包用箱体を被梱包部材に被せるようにしている。
【０００３】
（特許文献１参照）
ところで、以上のごとく梱包された被梱包部材を例えば船積みする際には、これら被梱包部材を縦積みすることが一般的であるが、梱包用箱体を強化段ボールから形成しても  前記したように縦積みした場合、船が例えば横方向に揺れ動くに伴い、梱包用箱体が上に載せられた被梱包物の重さにより崩れる不具合が考えられる。
【０００４】
そこで本願発明者は、溶接などにより箱状に組まれた補強枠体を別途形成しておき、被梱包部材の梱包時にこの補強枠体をパレット上に載せた被梱包部材に被せた上で、更に梱包用箱体を補強枠体に被せて、梱包用箱体を補強枠体により補強する方法を考えたのであるが、以上のように補強枠体を溶接などにより予め組んだものを用意するようにすると、保管場所をとる不具合がある。
【先行技術文献】
【特許文献】
【０００５】
【特許文献１】特開２００７−２８４１１５号
【発明の概要】
【発明が解決しようとする課題】
【０００６】
本発明は、以上の実情に鑑みて開発したものであって、目的とするところは、保管に場所をとらず、しかも被梱包部材の梱包に際しては確実に梱包することができて、梱包した被梱包部材を例えば縦積みした場合でも不用意に崩れるようなことのない梱包具を提供することにある。
【課題を解決するための手段】
【０００７】
以上の目的を達成するために、請求項１に記載の発明は、重量のある被梱包部材を梱包するための梱包具であって、
被梱包部材を載置するためのパレットと、このパレット上に載置した被梱包部材を覆うための段ボール製の梱包用箱体と、前記梱包用箱体を補強するための補強枠体とが備えられ、
補強枠体は、前記梱包用箱体の内側面に沿う複数本の縦杆と、前記梱包用箱体の天井内面に沿う複数本の横杆と、これら縦杆及び横杆を枠状に連結するための連結体とが備えられ、前記縦杆及び横杆は、前記連結体に対して着脱可能であることを特徴とする。
【０００８】
請求項２に記載の発明は、請求項１に記載の梱包具において、
前記パレット上には、前記梱包用箱体の下端部を保持するための保持体が設けられ、この保持体には固定バンドの係止部が備えられていることを特徴とする。
【発明の効果】
【０００９】
請求項１に記載の発明によれば、被梱包部材の梱包時には、梱包した被梱包部材を例えば縦積みした場合でも補強枠体の介在により梱包用箱体が不用意に崩れるようなことがないし、しかも補強枠体の分解により、狭い場所でも梱包具の保管が行なえる。
【００１０】
請求項２に記載の発明によれば、請求項１に記載の発明の効果に加え、被梱包部材の梱包時、梱包用箱体が保持体を介してパレットに安定的に保持されるとともに、この保持体の係止部に係止する固定バンドにより強固で且つ安定的に梱包が行なえる。
【図面の簡単な説明】
【００１１】
【図１】梱包用箱体の概略斜視図。
【図２】補強枠体の分解斜視図。
【図３】補強枠体の要部の拡大斜視図。
【図４】パレットの斜視図。
【図５】パレットの要部の拡大斜視図。
【図６】被梱包部材の梱包途中を示す説明図。
【図７】本発明にかかる梱包具により被梱包部材を梱包した状態を示す説明図。
【発明を実施するための形態】
【００１２】
以下、本発明にかかる梱包具の一実施形態を図１〜図７に基づいて説明する。
【００１３】
先ず図１は梱包用箱体の概略斜視図、図２は補強枠体の分解斜視図、図３は補強枠体の要部の拡大斜視図、図４はパレットの斜視図、図５はパレットの要部の拡大斜視図、図６は被梱包部材の梱包途中を示す説明図、図７は梱包具により被梱包部材を梱包した状態を示す説明図である。
【００１４】
以上の図において符号１で示す梱包具は、基本的には、
平面視長方形としたパレット２と、
パレット２上に載せられた被梱包部材Ａを覆うための梱包用箱体３と、
梱包用箱体３を補強するための補強枠体４が備えられている。
【００１５】
パレット２は、金属部材から形成された既知構造のものであって、図４にも示すように、上面には平面視長方形の載置部２１が備えられ、この載置部２１の四方周縁には、後記する箱本体３１の位置決め体２２と、同じく箱本体３１の下端部を保持するための保持体２３と、後記する補強枠体４の縦杆４１の下端部が嵌め込まれる筒状の嵌合部２４が設けられている。
【００１６】
位置決め体２２は、L字状に屈曲した金属板から形成されて載置部２１上の四隅に取り付けられ、載置部２１上に置かれる箱本体３１の下端部内側面を受け止めるようにしている。
【００１７】
保持体２３は、図５にも示すように、一対の相対向する内外対向片２３ａ・２３ｂと、これら対向片２３ａ・２３ｂを連結する連結片２３ｃとから構成されている。そして内側対向片２３ａは外側対向片２３ｂよりも高く形成され、これら内外対向片２３ａ・２３ｂ間に箱本体３１の下端部を嵌合させるようにしている。
【００１８】
そして内外対向片２３ａ・２３ｂには、固定バンド５の長さ方向一端部を止めるための    係止部としての係止孔２５ａ・２５ｂがそれぞれ設けられている。
【００１９】
梱包用箱体３は、図１にも示すように直方体に組まれた箱本体３１と、この箱本体３１の上端開口を閉鎖する蓋体３２とから構成され、これら箱本体３１及び蓋体３２は、強化段ボールから形成されている。強化段ボールは、外ライナーと中ライナーとの間及び中ライナーと内ライナーとの間にそれぞれ中芯を介在させた既知構造のものが用いられている。
【００２０】
補強枠体４は、図２にも示すように、梱包用箱体３の内側面に沿う４本の縦杆４１と、梱包用箱体３の天井内面の長辺方向に沿う２本の第１横杆４２と、梱包用箱体３の天井内面の短辺方向に沿う２本の第２横杆４３と、これら縦杆４１及び第１、第２横杆４２・４３を取り外し可能に連結する連結体４４とから構成されている。
【００２１】
縦杆４１及び第１横杆４２は断面正方形の金属製角パイプ材から構成され、また第２横杆４３は、断面略コ字状の金属製チャンネル材から構成されている。
【００２２】
第２横杆４３は、図３に示すように、相対向する左右一対の対向壁部４３ａとこれら対向壁部４３ａの上端を結ぶ上壁部４３ｂが備えられ、対向壁部４３ａの長さ方向両端部は切り欠かれるともに、上壁部４３ｂの長さ方向両端には係合片４３ｃが一体形成されて、対向壁部４３ａの端縁と係合片４３ｃとの間に第１横杆４２が嵌合するようにしている。
【００２３】
連結体４４は、図３にも示すように、縦杆４１の長さ方向端部が嵌合可能な縦杆嵌合枠部４５と第１横杆４２の端部が嵌合可能な横杆嵌合枠部４６とからなり、横杆嵌合枠部４６は縦杆嵌合枠部４５の上端部から９０度屈曲した方向に延びている。
【００２４】
また横杆嵌合枠部４６には、この横杆嵌合枠部４６内に嵌合した第１横杆４２を露呈させるための窓４７が開設されている。
【００２５】
次に以上の構成からなる梱包具１により被梱包部材Ａを梱包する手順を説明する。
【００２６】
先ず、パレット２の載置部上に被梱包部材Ａを搭載する。
【００２７】
一方、連結体４４の縦杆嵌合枠部４５内及び横杆嵌合枠部４６内にそれぞれ縦杆４１及び第１横杆４２を嵌め込むと共に第１横杆４２における窓４７から露出する部位に第２横杆４３の両端部を係止することで、補強枠体４を組み立てる。
【００２８】
なお被梱包部材Ａで用いる付属部品などを入れた部品箱Ｂもあわせて梱包する場合には、図６に示すように、部品箱Ｂを載置部２１上に載せるとともにこの部品箱Ｂ上に掛け渡した固定バンドＣの長さ方向両端部を保持体２３における内側対向片２３ａの係止孔２５ａにそれぞれ結び止めることで、固定バンドＣを介して部品箱Ｂを載置部２１上に固定する。
【００２９】
そして以上のようにして組まれた補強枠体４における縦杆４１の下端部をパレット２の嵌合筒２４内に嵌め込むことで、この補強枠体４を図７に示すようにパレット２上に設置する。
【００３０】
続いてボックス状に展開した箱本体３１を補強枠体４の外周囲に被せると共に、箱本体３１の上端開口を蓋体３２で覆った上で、図７に示すように、固定バンドＤを梱包用箱体３上に架け渡すと共に、固定バンドＤの長さ方向両端部を保持体２３における外側対向片２３ｂの係止孔２５ｂにそれぞれ結び止めることで、固定バンドＣを介して梱包用箱体３をパレット２上に止める。
【００３１】
斯くして以上の梱包具１による被梱包部材Ａの梱包では、梱包用箱体３内にセットされる補強枠体４の作用により、被梱包部材Ａの梱包に際しては、補強枠体４を介して確実且つ強固に梱包できて、梱包した被梱包部材を例えば縦積みした場合でも不用意に崩れるのを確実に防止することが出来る。
【００３２】
一方、以上の梱包具１は、保管時、連結体４４から縦杆４１及び第１横杆４２及び第２横杆４３を図２に示すように取り外すことで補強枠体４を分解して保管すればよいのであって、これにより補強枠体９の保管に場所をとらない。
【符号の説明】
【００３３】
１      梱包具
２      パレット
２１    載置部
２２    位置決め体
２３    保持体
２４    嵌合筒
３      梱包用箱体
３１    箱本体
３２    蓋体
４      補強枠体
４１    縦杆
４２    第１横杆
４３    第２横杆
４４    連結体
Ａ      被梱包部材
Ｃ      固定バンド
【図１】
2012012098.tif 000003
【図２】
2012012098.tif 000004
【図３】
2012012098.tif 000005
【図４】
2012012098.tif 000006
【図５】
2012012098.tif 000007
【図６】
2012012098.tif 000008
【図７】
2012012098.tif 000009